(57)【要約】【課題】柔らかい揺れと安定した剛性を有し、上部フレームの傾斜角度が調整でき、コンパクトに折り畳むことができる乳幼児用シートのフレーム体及び乳幼児用シートの提供を目的とする。【解決手段】環形状枠からなる上部フレームと、下部フレームとを備え、上部フレームは、下部フレームに対して所定の傾斜角度調整及び折り重ね可能に弾性連結してあり、上部フレームは、フレーム途中で上部側が前後方向に回動することで折り曲げ可能になっていて、下部フレームは、伸縮可能になっていることを特徴とする。【選択図】  図１
2007282927.tif 000002
【特許請求の範囲】
【請求項１】
環形状枠からなる上部フレームと、下部フレームとを備え、
上部フレームは、下部フレームに対して所定の傾斜角度調整及び折り重ね可能に弾性連結してあり、
上部フレームは、フレーム途中で上部側が前後方向に回動することで折り曲げ可能になっていて、下部フレームは、伸縮可能になっていることを特徴とする乳幼児用シートのフレーム体。
【請求項２】
上部フレームは、下部フレームに連結した揺れフレームと、背フレームとを有し、揺れフレームと背フレームとがジョイント部にて回動可能になっていることを特徴とする請求項１記載の乳幼児用シートのフレーム体。
【請求項３】
ジョイント部は、バネ付勢された回動規制部材にて回動を規制してあり、背フレーム上部付近に設けた操作部にて回動規制部材のロック解除操作を行うものであり、操作部に設けた操作レバーと回動規制部材とが背フレーム内に設けた線条にて連結してあることを特徴とする請求項２記載の乳幼児用シートのフレーム体。
【請求項４】
下部フレームは、上部フレームに連結したベースフレームと、スライドフレームとを有し、ベースフレームとスライドフレームとがスライド伸縮可能になっていることを特徴とする請求項１〜３のいずれかに記載の乳幼児用シートのフレーム体。
【請求項５】
上部フレームの下端を左右方向二箇所にて下部フレームと回動自在に連結してあり、前記二箇所の連結部の間に上部フレームを上向き方向に延在させたクランク状の取付腕部を形成し、取付腕部は傾斜角度調整具と連結してあることを特徴とする請求項１〜４のいずれかに記載の乳幼児用シートのフレーム体。
【請求項６】
傾斜角度調整具の一端はクランク状の取付腕部又は下部フレームのいずれか一方に回動自在に取り付けてあり、傾斜角度調整具の他端は対応する相手側の下部フレーム又はクランク状の取付腕部との間に複数の係合部を設けてあり、係合位置を変えることで上部フレームの傾斜角度を回動調整でき、係合を解除することで上部フレームを折り重ねることができるものであることを特徴とする請求項５記載の乳幼児用シートのフレーム体。
【請求項７】
上部フレームは上下方向に約半分の長さに折り曲げることができ、下部フレームは前後方向に約半分の長さに縮小でき、上部フレームと下部フレームとを折り重ねることができることを特徴とする請求項１〜６のいずれかに記載の乳幼児用シートのフレーム体。
【請求項８】
スライドフレームの後端部に後部固着バーを設けてあり、折り重ねた際に上部フレームのジョイント部が後部固着バーの下部に位置することで上部フレームと下部フレームとが交差することを特徴とする請求項７記載の乳幼児用シートのフレーム体。
【請求項９】
下部フレームは、上部フレームとの連結部に取付部材を有し、
上部フレームは、取付部材に弾性連結してあることを特徴とする請求項１〜８のいずれかに記載の乳幼児用シートのフレーム体。
【請求項１０】
環形状枠からなる上部フレームと、下部フレームとシート体とを備え、
上部フレームは、下部フレームに対して所定の傾斜角度調整及び折り重ね可能に弾性連結してあるとともに、シート体を保持するものであり、
上部フレームは、フレーム途中で上部側が前後方向に回動することで折り曲げ可能になっていて、下部フレームは、伸縮可能になっていることを特徴とする乳幼児用シート。
【請求項１１】
シート体はシート本体とシートカバーとを有し、
シート本体はメッシュ部を有し、
シートカバーはシート本体にメッシュ部を覆って着脱自在に取り付けるものであることを特徴とする請求項１０記載の乳幼児用シート。
【請求項１２】
シート体にベルトを有しており、上部フレームと下部フレームを折り重ねた状態でベルトにて上部フレームと下部フレームとを束ねて固定することを特徴とする請求項１０又は１１記載の乳幼児用シート。
【発明の詳細な説明】
【技術分野】
【０００１】
本発明は、新生児から２歳児程度の乳幼児をシート体上に斜めに寝かせて保持する乳幼児用シートのフレーム体及び乳幼児用シートに関する。
【背景技術】
【０００２】
バウンザーとも称される乳幼児用シートは乳幼児を斜めに寝かせて、乳幼児にふくよかな感触及び安楽感を与えるものであり、寝かせる角度の調整ができて、フレームに柔らかな揺れ弾性と剛性を有し、収納時にはコンパクトに折り畳めるニーズがある。
米国特許第６，８７７，８０２号公報には、ワイヤー操作にて折り畳み可能なシートを開示するが、上部フレームの傾斜角度調整ができないものであり、揺れの動きがコイルバネによることからきしみ音が発生しやすく、柔らかさに欠ける。
また、フレームが交差しているので、ワイヤーをフレームの外側に配置せざるを得ず、見栄えが悪いだけでなく、危険でもある。
実用新案登録第３０７０５９０号公報には、角度調整部を有し、これを利用した折り畳み式の乳児用椅子を開示するが、フレームの大きさ自体は変わらず、収納性や携帯性が不充分である。
【０００３】
【特許文献１】米国特許第６，８７７，８０２号公報
【特許文献２】実用新案登録第３０７０５９０号公報
【発明の開示】
【発明が解決しようとする課題】
【０００４】
本発明は上記技術的課題に鑑みて、柔らかい揺れと安定した剛性を有し、上部フレームの傾斜角度が調整でき、コンパクトに折り畳むことができる乳幼児用シートのフレーム体及び乳幼児用シートの提供を目的とする。
【課題を解決するための手段】
【０００５】
本発明の技術的要旨は、環形状枠からなる上部フレームと、下部フレームとを備え、上部フレームは、下部フレームに対して所定の傾斜角度調整及び折り重ね可能に弾性連結してあり、上部フレームは、フレーム途中で上部側が前後方向に回動することで折り曲げ可能になっていて、下部フレームは、伸縮可能になっていることを特徴とする乳幼児用シートのフレーム体とした点である。
ここで、所定の傾斜角度調整可能とは上部フレームと下部フレームとの連結角度を調整して上部フレームの傾斜角度を調整することができることを言い、連結方法は、軸着でも枢着でも良い。
ここで弾性連結とは、上部フレームを下部フレームに例えば曲げ弾性やねじり弾性による、弾性力で連結部を支点にして上下方向に揺動可能に連結してあることをいう。
下部フレームが伸縮可能になっているとは、スライド式、リンク式等を問わずに、下部フレームの全長を伸縮できることを意味する。
【０００６】
請求項２記載の発明の技術的要旨は、上部フレームは、下部フレームに連結した揺れフレームと、背フレームとを有し、揺れフレームと背フレームとがジョイント部にて回動可能になっていることを特徴とする。
これにより上部フレームはジョイント部で折り曲げることができる。
また、揺れフレームは上下に揺れるようにバネ鋼材等を用いるのがよく、下部フレーム側に向けて例えばアール状の曲げ部を形成するのがよい。
【０００７】
請求項３記載の発明の技術的要旨は、ジョイント部は、バネ付勢された回動規制部材にて回動を規制してあり、背フレーム上部付近に設けた操作部にて回動規制部材のロック解除操作を行うものであり、操作部に設けた操作レバーと回動規制部材とが背フレーム内に設けた線条にて連結してあることを特徴とする。
背フレーム内に線条を設けるとは例えばワイヤー等の線条がほとんど外部から見えないようになっている意味である。
【０００８】
請求項４記載の発明の技術的要旨は、下部フレームは、上部フレームに連結したベースフレームと、スライドフレームとを有し、ベースフレームとスライドフレームとがスライド伸縮可能になっていることを特徴とする。
【０００９】
請求項５記載の発明の技術的要旨は、上部フレームの下端を左右方向二箇所にて下部フレームと回動自在に連結してあり、前記二箇所の連結部の間に上部フレームを上向き方向に延在させたクランク状の取付腕部を形成し、取付腕部は傾斜角度調整具と連結してあることを特徴とする。
クランク状の取付腕部を傾斜角度調整具を用いて下部フレームと連結して、下部フレームに対して所定角度で上部フレームを支持する。
【００１０】
請求項６記載の発明の技術的要旨は、傾斜角度調整具の一端はクランク状の取付腕部又は下部フレームのいずれか一方に回動自在に取り付けてあり、傾斜角度調整具の他端は対応する相手側の下部フレーム又はクランク状の取付腕部との間に複数の係合部を設けてあり、係合位置を変えることで上部フレームの傾斜角度を回動調整でき、係合を解除することで上部フレームを折り重ねることができるものであることを特徴とする。
ここで、傾斜角度調整具の一端とは回動自在の連結部を意味し、傾斜角度調整具の他端とは複数の係合部を有する連結部を意味する。
従って複数の係合部を設けるとは、傾斜角度調整具の一端をクランク状の取付腕部に回動自在に連結し、傾斜角度調整具の他端に複数の被係止部を設けて下部フレームに設けた係止部とその係合位置を変える場合のみならず、傾斜角度調整具の一端を下部クレームに回動自在に連結し、傾斜角度調整具の他端に複数の被係止部を設けて上部フレームに設けた係止部とその係合位置を変える場合や、傾斜角度調整具の他端に被係止部を設けて下部フレームや上部フレームに設けた複数の係止部とその係合位置を変える場合を含む。
【００１１】
請求項７記載の発明の技術的要旨は、上部フレームは上下方向に約半分の長さに折り曲げることができ、下部フレームは前後方向に約半分の長さに縮小でき、上部フレームと下部フレームとを折り重ねることができることを特徴とする。
【００１２】
請求項８記載の発明の技術的要旨は、スライドフレームの後端部に後部固着バーを設けてあり、折り重ねた際に上部フレームのジョイント部が後部固着バーの下部に位置することで上部フレームと下部フレームとが交差することを特徴とする。
【００１３】
請求項９記載の発明の技術的要旨は、下部フレームは、上部フレームとの連結部に取付部材を有し、上部フレームは、取付部材に弾性連結してあることを特徴とする。
【００１４】
請求項１０記載の発明の技術的要旨は、環形状枠からなる上部フレームと、下部フレームとシート体とを備え、上部フレームは、下部フレームに対して所定の傾斜角度調整及び折り重ね可能に弾性連結してあるとともに、シート体を保持するものであり、上部フレームは、フレーム途中で上部側が前後方向に回動することで折り曲げ可能になっていて、下部フレームは、伸縮可能になっていることを特徴とする。
【００１５】
請求項１１記載の発明の技術的要旨は、シート体はシート本体とシートカバーとを有し、シート本体はメッシュ部を有し、シートカバーはシート本体にメッシュ部を覆って着脱自在に取り付けるものであることを特徴とする。
【００１６】
請求項１２記載の発明の技術的要旨は、シート体にベルトを有しており、上部フレームと下部フレームを折り重ねた状態でベルトにて上部フレームと下部フレームとを束ねて固定することを特徴とする。
ここでシート体に設けたベルトは幼児のシートベルトと兼用するのがよい。
【発明の効果】
【００１７】
本発明に係る乳幼児用シートのフレーム体においては、シート体を取り付けるための上部フレームを下部フレームに対して傾斜させた状態の傾斜角度調整が可能であり、且つ上部フレームを下部フレームに重ねるように折り畳むことができる。
上部フレームはジョイント部で二つ折り可能で、下部フレームはスライド収縮可能であるため、収納時や携帯時等には、上部フレームはジョイント部部分で２つ折りに折り畳み、下部フレームはスライド収縮させて、前後方向の長さを短くできるのでコンパクトである。
この場合に請求項７記載の発明のように、上部フレームも下部フレームも全長が約半分になると、よりコンパクトに折り重ねで畳むことができる。
【００１８】
請求項２記載の発明のように上部フレームを揺れフレームと背フレームとに分割すると、用途に適した材料を選定することができ、揺れフレームはバネ鋼材を用い、背フレームはシート体を保持する剛性を有するバイプ材を用いることもできる。
揺れフレームに曲げアール部を設けると上部フレームを柔らかく滑らかに揺らすことができる。
背フレームにパイプ材を用いると請求項３記載の発明において、ワイヤー等の線条を背フレームのパイプ内部に配設することができ、このように線条を配設するとフレーム体の見映えがよく、取扱い時に安全である。
また、背フレームの上部付近に設けた操作部でロック解除操作しながら、そのまま、ジョイント部で回動させて折り曲げ操作できる。
【００１９】
請求項５記載の発明にあっては、揺れフレームのクランク状の取付腕部を傾斜角度調整具を用いて下部フレームと連結して、下部フレームに対して上部フレームを傾斜角度調整可能に支持できる。
これにより傾斜角度調整ができる。
【００２０】
請求項６に記載の発明にあっては、傾斜角度調整具の一端を回動自在に連結し、傾斜角度調整具の他端を複数の係合部にて連結したので、他端と下部フレーム又は上部フレームのクランク状取付腕部との係合位置を変えるだけで上部フレームの傾斜角度を容易に調整でき、係合を解除すると傾斜角度調整具が回動自在軸を中心に回動するので上部フレームと下部フレームを折り重ねるように畳むことができる。
【００２１】
請求項８に記載の発明にあっては、スライドフレーム後端部の後部固着バーと上部フレームの折り曲げたジョイント部とが交差するように位置するので、折り畳んだ状態の上部フレームと下部フレームとは開かないように互いに係り合うため、折り畳んだ状態の取扱い性が向上する。
【００２２】
請求項１１に記載の発明にあっては、通常はシート本体にシートカバーを取り付けて、クッション性のあるシートカバー上に乳幼児を乗せて柔らかく保持でき、夏などの暑い環境で使用する場合には、シートカバーを外して乳幼児をメッシュ部上に乗せることで乳幼児がシート体との間で蒸れることを適時防止できる。
【００２３】
請求項１２に記載の発明は、折り重ねた状態で、上部フレームと下部フレームとを交差させない場合において、シート体に有しているベルトで束ねて固定するものであり、これによっても折り畳んだ状態の取扱い性が向上する。
【発明を実施するための最良の形態】
【００２４】
本発明に係る乳幼児用シート（バウンザー）について、以下図面に基づいて説明する。
図６は本発明に係る乳幼児用シート１０の実施例の外観の斜視図を示す。
乳幼児用シート１０は、図１に示したフレーム体１４に図６に示すようにシート体１１を取り付けた構造になっている。
下部フレーム３０に傾斜可能に枢着、軸着及び支持してある環形状枠よりなる上部フレーム２０に、クッション性を有して乳幼児が斜め上向きにほぼ寝た状態で座るシート体１１を、シート体の外縁部で上部フレーム２０に取り付けてある。
本明細書では、便宜上、図１に示したように前後方向、左右方向、上部フレームの上下方向を定義して用いる。
シート体１１は、シート本体１２の上にシートカバー１３を取付けて、シート本体１２の外縁部を上部フレーム２０に取り付けてある。
シートカバー１３はシート本体１２に着脱自在で、シート本体１２のシートカバー１３を取り付けた状態と、図２０に示すようにシートカバー１３を取り外した状態とを適時選択出来るようになっている。
シートカバー１３、シート本体１２には乳幼児が腰をあてがうための座部１３ａ、１２ａが下後方向きに凹ませて形成してある。
乳幼児は、座部１２ａあるいは１３ａに腰をあてがい、保持部１１ｃを跨らさせ、仰向きに座らせるように寝かせて、ベルト１１ａを締めて乳幼児用シートに乗せる。
ベルト１１ｂは必要に応じて用いる。
シート本体１２は、乳幼児が乗った時に腰から、背中、後頭部にかけて受ける範囲をメッシュ部１２ｂで形成してある。
乳幼児用シート１０は、暑い日にはシートカバー１３を外した状態で、メッシュ部１２ｂ上に乳幼児を乗せて乳幼児の体が蒸れることを防止し、通常はクッション性のあるシートカバー１３を取り付けて乳幼児を乗せる。
【００２５】
図１に乳幼児用シート１０のシート体１１を取り外したフレーム体１４の外観図を示し、図２にこのフレーム体１４の分解図を示す。
また、参考のため図１０にフレーム体１４の正面図を示し、図１１に右側面図を示し、図１２に背面図を示し、図１３に平面図を示し、図１４に底面図を示す。
フレーム体１４は左右対称に形成してあるので左側面図は省略した。
下部フレーム３０は、ベースフレーム８０の後ろ側にスライドフレーム９０をスライド連結してある。
ベースフレーム８０はベースバー８１ａ、８１ｂを左右に平行に設けて、係止バー８６で左右のベースバー８１ａ、８１ｂ途中を固着してある。
ベースバー８１ａ、８１ｂ前端は下向き開放の軸受け凹部８５ａ、８５ｂを形成し、フレーム取付板８７上に並べて取り付けてある。
ベースフレーム８０は、軸受け凹部８５ａ、８５ｂとフレーム取付板８７とで軸受け８８ａ、８８ｂを形成している。
ベースバー８１ａ、８１ｂのそれぞれ後端は挿入杆部８２ａ、８２ｂを形成してある。
スライドフレーム９０は、パイプ材よりなるスライド部材９１ａ、９１ｂを左右に平行に設けて、ストッパー収納パイプ９４を用いて前よりで固着してあり、後端は後部固着バー９３にて固着してある。
なお、後部固着バー９３には滑り止めを目的としたゴム製の脚部を取り付けてある。
それぞれのスライド部材９１ａ、９１ｂは前端に開口する挿入孔９２ａ、９２ｂを設けて、対応するベースフレーム８０の挿入杆部８２ａ、８２ｂをスライド挿入してある。
挿入杆部８２ａ、８２ｂを挿入孔９２ａ、９２ｂにスライド挿入したスライドフレーム９０は所定の位置でスライドをロックできる。
このスライドフレーム９０のベースフレーム８０に対するスライドのロック構造については後述する。
【００２６】
上部フレーム２０は、揺れフレーム６０の上端に背フレーム４０をジョイント部７０ａ、７０ｂで連結してある。
揺れフレーム６０の下端は、下部フレーム３０の軸受け８８ａ、８８ｂに軸着（枢着）して、上部フレーム２０を所定の角度傾斜させて、上部フレーム２０は揺れフレーム６０とベースフレーム８０との間に配設した傾斜角度調整具６４で連結支持してある。
揺れフレーム６０は、図２１に示すように下部フレーム３０ｂに取付部材８７ａを取付けてこの取付部材８７ａに設けた軸受け８８ｃ、８８ｄに軸着（枢着）させるものとしても良い。
上部フレーム２０は、上向き開放のループ形の揺れフレーム６０と下向き開放のループ形の背フレーム４０とで環形状の枠を形成してある。
下部フレーム３０の軸受け８８ａ、８８ｂと軸着して連結した揺れフレーム６０の立ち上がり部分には、上方に立ち上げつつ後方に湾曲させたバネ鋼材製の曲げアール部６２ａ、６２ｂを設けてあり、その先はパイプ材で直線状に延長して先端にジョイント部７０ａ、７０ｂを取り付けて背フレーム４０と連結してある。
背フレーム４０の下端部４０ａ、４０ｂは、揺れフレーム６０の上端に取付てあるジョイント部７０ａ、７０ｂで軸連結してある。
上部フレーム２０は、背フレーム４０と揺れフレーム６０とを直線状に展開した状態をジョイント部７０ａ、７０ｂでロックするロック手段と、背フレーム４０の上部を揺れフレーム６０に向けて回動して折り畳む（折り曲げる）ためのロック解除手段とを有している。
背フレーム４０上部には、このロック解除操作するための操作部５０が取り付けてある。
この上部フレーム２０における背フレーム４０と揺れフレーム６０との連結構造については後述する。
揺れフレーム６０あるいは背フレーム４０には必要に応じて、シート体に座った乳幼児の前に、乳幼児が遊べるように玩具を取り付け可能なおもちゃ取付けバーを設けても良い。
【００２７】
揺れフレーム６０は、下端に軸部６１ａ、６１ｂを左右に一対設けて、この軸部６１ａ、６１ｂを下部フレーム３０の左右に一対設けている軸受け８８ａ、８８ｂに連結し、軸部６１ａ、６１ｂの間はフレーム内側上向き方向に延在させたクランク状の取付腕部６３を形成して、この取付腕部６３と傾斜角度調整具６４の軸孔６４ａと枢着してある。
図６に示すシート体１１は上部フレーム２０に外縁部を懸架させるように取り付けて傾斜状態で支持する。
揺れフレーム６０はバネ鋼材製の曲げアール部６２ａ、６２ｂを有して、シート体１１に寝かせた乳幼児が体を動かすと、この曲げアール部６２ａ、６２ｂの曲げ弾性と、曲げアール部６２ａ、６２ｂと軸部６１ａ、６１ｂとの間のねじれ弾性により適度に上部フレーム２０が揺れ、乳幼児に大人に抱かれているような感覚を与えたり、あるいは大人が手で上部フレーム２０を軽く動かすことで簡単に揺らせるようにしてある。
【００２８】
傾斜角度調整具６４による上部フレーム２０の傾斜角度の調整構造の説明図を図５に示す。
図５（ａ）、図５（ｂ）は傾斜角度調整具６４で上部フレーム２０の傾斜角度を変化させた状態を示す。
図５（ａ）、図５（ｂ）に示すように傾斜角度調整具６４は、下端に複数の係合凹部６４ｂ、６４ｃ、６４ｄ、６４ｅを設けてその一つをベースフレーム８０の係止バー８６と係合させることで上部フレーム２０を所定角度傾斜させて支持している。
複数の係合凹部は前後方向に配列してあるので係止バー８６に係止する係合凹部を選択することで上部フレームの傾斜角度を回動調整できる。
傾斜角度調整具６４は、図２にネジ部材６７を外した状態を示すように、切込部６６の内側にバー穴６５、軸孔６４ａを形成してある。
乳幼児用シートを収納や携帯するためにコンパクト化する場合には、係止バー８６から係合凹部を外して傾斜角度調整具６４による上部フレーム２０の支持を解除し、図５（ｃ）に示すように係止バー８６をバー穴６５の軸孔６４ａ側に形成してある折り畳み用凹部６５ａに移動して上部フレーム２０を下部フレーム３０に向けて折り畳む。
傾斜角度調整具６４は、一端を上部フレームあるいは下部フレームのいずれかに枢着させてあり、他端を上部フレームの角度を変えるために選択可能に複数設けた係合箇所で、枢着していない側の下部フレームあるいは上部フレームに連結するものであって、上部フレームを下部フレームに向けて折り重ねる際に折り重ね操作に干渉しないように形成してあれば良く、例えば下部フレーム側に枢着させて上部フレームに係止バーを設けても良い。
【００２９】
上部フレーム２０における、背フレーム４０と揺れフレーム６０とのジョイント部７０ａ、７０ｂを用いた連結構造について説明する。
図３（ａ）は図１のＡ方向に背フレーム４０上部付近とジョイント部７０ａ、７０ｂ付近を見た説明図で、説明のため背フレーム４０と操作部５０のケース５４の視点の手前側は取り除いて描いてある。
図３（ｂ）は図１１に示す右側面図でジョイント部７０ｂ付近を見て、背フレーム４０と揺れフレーム６０を水平に描いた説明図を示す。
また、図１８（ａ）にジョイント部７０ｂを分解した斜視図を示し、Ｂ−Ｂ線断面図を図１８（ｂ）に示し、Ｃ−Ｃ線断面図を図１８（ｃ）に示す。
左右のジョイント部７０ａ、７０ｂは同じ構造なので、説明はジョイント部７０ｂ側のみで行う。
ジョイント部７０ｂは、ベース体７０ｄと、リベットよりなるジョイント軸７３ｂと抜止ピン７４ｆとを有し、ベース体７０ｄには揺れフレーム６０の上端を図１に示すように下側から挿し込んで嵌着するための取付孔７４ｂと、この取付孔７４ｂと平行で取付孔７４ｂの穿孔方向と上直角方向に開口させた溝形のガイド凹部７１ｂとを設けてある。
このガイド凹部７１ｂの左右の内壁には、取付孔７４ｂの穿孔方向と平行にロック溝７２ｂが左右それぞれの内壁に形成してある。
ロック溝７２ｂは、操作部５０側に開口している。
またガイド凹部７１ｂ内には背フレーム下端部４０ｂを凹形で受ける受け凹部７１ｄが設けてある。
そしてベース体７０ｄには、ガイド凹部７１ｂ部分を左右方向に貫通し、ジョイント軸７３ｂを軸着させる軸孔７３ｄと、取付孔７４ｂ部分を左右方向に貫通し、抜止ピン７４ｆを係着させるピン孔７４ｄを設けてある。
図２及び図３（ｂ）に示すように、ジョイント部７０ｂは取付孔７４ｂに揺れフレーム６０の上端を挿し込んで、揺れフレーム６０の上端部に設けてあるピン孔６０ｂとピン孔７４ｄとを合わせて抜止ピン７４ｆによりリベット止めしてある。
そして、背フレーム４０の下端部４０ｂの軸孔４２ｂをベース体７０ｄの軸孔７３ｄと合わせてジョイント軸７３ｂにより軸着させて、背フレーム４０と揺れフレーム６０とを軸連結してある。
ジョイント部７０ｂのガイド凹部７１ｂは、背フレーム４０をジョイント軸７３ｂで軸回動させて揺れフレーム６０に対して略直線状とした時に、上方から背フレーム下端部４０ｂが嵌り、ガイド凹部７１ｂ内に設けてある受け凹部７１ｄが背フレーム下端部４０ｂを位置決めし、かつ、ガイド凹部７１ｂ左右の内壁が背フレーム下端部４０ｂの左右両側を挟むように形成してある。
図３（ａ）に示すように、背フレーム下端部４０ｂのパイプ状の内部空間には、ジョイント部７０ｂの回動規制部材としてのロックピン５８ｂを設けたロック部材５７ｂが配設してある。
ロック部材５７ｂを取り外した外観説明図を図１９（ｃ）に示す。
ロック部材５７ｂは、摺動体５８ｄにロックピン５８ｂを取り付けたもので、摺動体５８ｄは背フレーム下端部４０ｂの内部空間に沿って摺動可能とするように背フレーム下端部４０ｂの内部空間に形状を合わせてある。
ロックピン５８ｂは、両端をそれぞれ摺動体５８ｄの左右側面から突出させて摺動体５８ｄに固着してある。
また、摺動体５８ｄの上端にはワイヤー５３ｂの下端が連結してある。
ロック部材５７ｂが背フレーム下端部４０ｂの内部空間に沿って上部フレームの下側に移動した状態の拡大説明図を図１９（ａ）に示し、上側に移動した状態を図１９（ｂ）に示す。
ロック部材５７ｂはロックピン５８ｂ両端を、背フレーム下端部４０ｂの左右側面に設けた長穴４０ｄからそれぞれ突出させて、背フレーム下端部４０ｂのパイプ状内部空間内に配設してある。
ジョイント部７０ｂのガイド凹部７１ｂに形成してあるロック溝７２ｂは、ジョイント部７０ｂに取り付けた揺れフレーム６０の上端部の方向と平行方向となるように形成してある。
図３（ｂ）に示すように、揺れフレーム６０と背フレーム４０のジョイント部７０ｂ付近の方向を略直線状とした状態で、図１９（ｂ）に示すようにロック部材５７ｂが背フレーム下端部４０ｂに沿って上側に移動すると、ロックピン５８ｂの両端がロック溝７２ｂから抜ける。
一方、図３（ｂ）の状態で図１９（ａ）に示すようにロック部材５７ｂが下側に移動するとロック溝７２ｂにロックピン５８ｂが嵌る。
よって、背フレーム４０はロックピン５８ｂがジョイント部７０ｂのロック溝７２ｂに嵌まることでジョイント部７０ｂに対してロックされて回動が規制され、ロックピン５８ｂがロック溝７２ｂから抜けることで回動のロックが解除される。
ロック部材５７ｂは、図３（ｂ）、図１９（ａ）に示すロック状態を保持するために、コイルバネ５６ｂでロックピン５８ｂをロック溝７２のジョイント軸７３ｂ側へ押し込むようにバネ付勢してある。
【００３０】
ロックピン５８ｂをロック溝７２ｂから抜く引き出し操作は、背フレーム４０の上部に設けた操作部５０を操作して行う。
操作部５０は、操作レバー５１を押し込み操作して、グリップカム５２を回転動作させ、回転させたグリップカム５２にワイヤー取付部５５ａ、５５ｂで取り付けてあるワイヤー５３ａ、５３ｂを引き、このワイヤー５３ａ、５３ｂにワイヤー挿通口４１ａ、４１ｂから背フレーム内を通して連結してあるロック部材５７ａ、５７ｂを引き上げる。
ロックピンの駆動は、操作レバーの操作でワイヤーを引いて行うものであればグリップカムを用いる構造に限定されるものでは無い。
例えば図１６に示すように、ワイヤーを直動カム作用により引き上げるものとしても良い。
操作部５０ａは、ワイヤー５３ａ、５３ｂの上端部にスライド端末５５ｃ、５５ｄをそれぞれ取付け、操作レバー５１ａに、操作レバー５１ａの押込方向に対して傾斜した傾斜溝５９ａ、５９ｂを有する直動カム部５９を連結して設け、ケース５４にはスライド端末５５ｃ、５５ｄを嵌めてワイヤーを引く方向に拘束してガイドするガイド溝５４ａ、５４ｂを設けてある。
そして、スライド端末５５ｃ、５５ｄを、ガイド溝５４ａ、５４ｂと傾斜溝５９ａ、５９ｂにそれぞれ嵌め、操作レバー５１ａの操作でスライド動作させる。
操作レバー５１ａを、図１６（ａ）に示す操作レバー５１ａの非操作状態から、図１６（ｂ）に示すように押込操作すると、スライド端末５５ｃ、５５ｄが傾斜溝５９ａ、５９ｂの傾斜面で押されてガイド溝５４ａ、５４ｂにより拘束ガイドされてスライド動作し、ワイヤー５３ａ、５３ｂを引き上げる。
【００３１】
乳幼児用シートを収納するためにコンパクト化する際には、図３（ａ）に示す操作レバー５１を押込操作してジョイント部７０ａ、７０ｂによる軸回動のロックを解除して、図３（ｃ）に示すように背フレーム４０の上部側を図１に示す軸受け８８ａ、８８ｂ方向へ向けるように揺れフレーム６０に対して回動させて、図３（ｄ）のように２つ折りに畳む。
【００３２】
下部フレーム３０における、スライドフレーム９０のベースフレーム８０に対するスライドのロック構造について説明する。
図４（ａ）、図４（ｂ）は、下部フレーム３０のみを取り出して描いたスライドフレームのベースフレームに対するスライドのロック構造の説明図を示し、図４（ｃ）はストッパー収納パイプ９４付近の左右方向断面の説明図を示す。
スライドフレーム９０のストッパー収納パイプ９４内には、コイルバネ９６とその両側にストッパーピン９５ａ、９５ｂとが配設してある。
ストッパーピン９５ａ、９５ｂの先端は、コイルバネ９６の弾性付勢力により図２に示すスライドフレーム９０の挿入孔９２ａ、９２ｂ内にそれぞれ挿入してあるベースフレーム８０の挿入杆部８２a、８２ｂに向けて突出させてある。
ストッパーピン９５ａ、９５ｂには、ストッパーピン９５ａ、９５ｂを後退操作するための操作レバー９５ｃ、９５ｄが、ストッパー収納パイプ９４に長穴を設けて長穴から突出させて設けてある。
この操作レバー９５ｃ、９５ｄは、乳幼児がシート体に乗っている時に何らかのトラブルにより上部フレームと下部フレームが折り重なった場合、乳幼児が突起状のレバーに当たらないようにスライドフレーム９０のスライド部材９１ａ、９１ｂと平行方向に向けてある。
図２に示すようにベースフレーム８０の挿入杆部８２ａ、８２ｂには所定位置にピン孔８４ａ、８４ｂ、８４ｃ、８４ｄがそれぞれ設けてあり、スライドフレーム９０のベースフレーム８０に対するスライド位置は、ストッパーピン９５ａ、９５ｂ先端をそれぞれベースフレーム８０の挿入杆部８２ａのピン孔８４ａ、８４ｃ、挿入杆部８２ｂのピン孔８４ｂ、８４ｄに所定位置で合わせて嵌めてロック固定する。
そして、操作レバー９５ｃ、９５ｄ操作によりストッパーピン９５ａ、９５ｂをバネ付勢による前進位置から後退操作させてロック解除してスライド操作する。
乳幼児シートを使用する為に図４（ａ）に示すように下部フレームを伸ばす際には、ストッパーピン９５ａ、９５ｂをベースフレーム８０の挿入杆部８２ａ、８２ｂの後ろ側に設けてあるピン孔８４ｃ、８４ｄに合わせてコイルバネ９６の弾性付勢力で先端をピン孔８４ｃ、８４ｄに嵌めてスライドをロックする。
乳幼児シートをコンパクト化する為に図４（ｂ）に示すように下部フレーム３０を収縮させる際には、挿入杆部８２ａ、８２ｂの前側に設けてあるピン孔８４ａ、８４ｂにストッパーピン９５ａ、９５ｂを嵌めてスライドをロックする。
下部フレーム３０の収縮構造は、スライドフレームをベースフレームに対してスライドさせる構造に限定されるものではなく、例えば、図１５に示すようにベースフレーム１００と、スライドフレーム１１０とをダブルリンク機構を形成するようにアーム１０１で連結するものでも良い。
この場合、スライドフレーム１１０は各アーム１０１を操作してベースフレーム１００に対して平行リンク動作させて、図１５（ａ）に示す下部フレーム３０ａの伸長状態、図１５（ｂ）に示す収縮状態とし、そして例えばバネピン１０２をベースフレーム１００、スライドフレーム１１０それぞれに対応させて設けたピン孔に連通させて固定する。
【００３３】
フレーム体を使用状態から折り畳んでコンパクト化する手順の説明図を図７、図９に示す。
フレーム１４は図１に示すように左右対称に形成してあるので図に向かって手前側にある部品が重なって見えない部品は図中の符号記載は省略してある。
図７は上部フレーム２０と下部フレーム３０とを交差させて折り重ねる場合の手順を示す。
図７（ａ）に示す使用状態から、上部フレーム２０を、操作部５０の操作レバーを押し込んでジョイント部７０ａ、７０ｂのロックを解除し、背フレーム４０を上部側から上部フレーム２０と下部フレーム３０の連結側に向けて図７（ｂ）に示すように折り畳み、上部フレーム２０の上下方向長さを約半分にする。
次いで、折り畳んだ上部フレーム２０を軽く上方へ持ち上げて角度調整具６４の係止バー８６への嵌合を外し、図５（ｃ）に示すように角度調整具係止バー８６を角度調整具６４のバー穴６５の折り畳み用凹部６５ａに移動させ、図７（ｃ）に示すように上部フレーム２０を下部フレーム３０に向けて、ジョイント部７０ａ、７０ｂが下部フレーム３０より下方となるまで折って、上部フレーム２０を下部フレーム３０に重ねる。
この時の、角度調整具６４付近の拡大図を図８に示す。
係止バー８６は傾斜角度調整具６４の受け凹部６５ｂに嵌っている。
そして、下部フレーム３０のスライドフレーム９０のロックを、図４（ａ）に示すストッパーピン９５ａ、９５ｂの操作レバー９５ｃ、９５ｄを操作して解除し、スライドフレーム９０をベースフレーム８０側にスライドさせる。
スライドフレーム９０は、図７（ｄ）に示すように後端部に設けてある後部固着バー９３が上部フレーム２０のジョイント部７０ａ、７０ｂの直上部となる位置までスライドさせる。
これにより、上部フレーム２０と下部フレーム３０とを折り畳んだ状態から開こうとしても、ジョイント部７０ａ、７０ｂと後部固着バー９３とが互いに係り合って開かないようになる。
上部フレーム２０は、図７（ｃ）に示す下部フレーム３０に向けた折り重ね時に、曲げアール部６２ａ、６２ｂを撓ませて下方に向けて押し曲げた状態として、上部フレーム２０のジョイント部７０ａ、７０ｂの直上部までスライドさせたスライドフレーム９０の後部固着バー９３のゴム製脚部部分に、曲げアール部６２ａ、６２ｂの弾性復帰作用でジョイント部７０ａ、７０ｂを係止させても良い。
この場合、上部フレーム２０と下部フレーム３０とが曲げアール部６２ａ、６２ｂの弾性復帰作用により折り畳んだ状態で開かないように固定される。
この折り畳み状態でシート体１１を描いた外観説明図を図１７（ａ）に示す。
図９は上部フレーム２０と下部フレーム３０とを折り重ねて、図６に示すベルト１１ａで固定する場合の手順を示す。
図９（ａ）に示す使用状態から、上部フレーム２０を、ジョイント部７０ａ、７０ｂのロックを解除し、背フレーム４０を図９（ｂ）に示すように折り畳み、上部フレーム２０の上下方向長さを約半分にする。
下部フレーム３０は、スライドフレーム９０のロックを解除してスライドフレーム９０をベースフレーム８０側にスライドさせて図７（ｃ）に示すように収縮させる。
そして、折り畳んだ上部フレーム２０を軽く上方へ持ち上げて角度調整具６４の係止バー８６への嵌合を外し、上部フレーム２０を下部フレーム３０に向けて図９（ｄ）に示すように折り重ねる。
この場合は、上部フレーム２０の下部フレーム３０に向けた折り重ねや、上部フレーム２０の折り畳み、下部フレーム３０の収縮は行いやすい順番に行えば良い。
そして、図１７（ｂ）の外観説明図に示すようにシート体１１のベルト１１ａを上部フレーム２０と下部フレーム３０とを束ねるように締結して上部フレーム２０と下部フレーム２０とを折り重ねた状態で固定する。
上部フレーム２０と下部フレーム３０とは、別体のベルトで束ねても良い。
【図面の簡単な説明】
【００３４】
【図１】本発明に係る乳幼児用シートのフレーム体の斜視図を示す。
【図２】本発明に係る乳幼児用シートのフレーム体の分解斜視図を示す。
【図３】（ａ）はＡ方向から背フレームとジョイント部付近を見た説明図を示し、（ｂ）、（ｃ）、（ｄ）は右側面方向からジョイント部付近を見た説明図で、（ｂ）は背フレームを揺れフレームに対して直線状にした状態を示し、（ｃ）は  背フレームを軸回動させた状態を示し、（ｄ）は背フレームを揺れフレームに向けて折り畳んだ状態を示す。
【図４】スライドフレームのベースフレームに対するスライドのロック構造の説明図を示す。
【図５】傾斜角度調整具による上部フレームの傾斜角度の調整構造の説明図を示す。
【図６】本発明に係る乳幼児用シートの外観斜視図を示す。
【図７】本発明に係る乳幼児用シートをコンパクト化する手順の説明図を示す。
【図８】傾斜角度調整具付近の拡大説明図を示す。
【図９】本発明に係る乳幼児用シートをコンパクト化する手順の説明図を示す。
【図１０】本発明に係る乳幼児用シートのフレーム体の正面図を示す。
【図１１】本発明に係る乳幼児用シートのフレーム体の右側面図を示す。
【図１２】本発明に係る乳幼児用シートのフレーム体の背面図を示す。
【図１３】本発明に係る乳幼児用シートのフレーム体の平面図を示す。
【図１４】本発明に係る乳幼児用シートのフレーム体の底面図を示す。
【図１５】ダブルリンク機構タイプの収縮構造を設けた下部フレームの説明図を示す。
【図１６】別の構造とした操作部の説明図を示す。
【図１７】乳幼児用シートのシート体を描いた折り畳み状態の説明図を示す。
【図１８】ジョイント部の説明図を示す。
【図１９】（ａ）（ｂ）はロックピン動作の説明図を示し、（ｃ）はロック部材の説明図を示す。
【図２０】シート体のシートカバーを取り外した乳幼児シートの外観斜視図を示す。
【図２１】取付部材を設けた下部フレームの実施例の説明図を示す。
【符号の説明】
【００３５】
１０    乳幼児用シート
１１    シート体
１１ａ、１１ｂ  ベルト
１１ｃ    保持部
１２    シート本体
１２ａ  座部
１２ｂ  メッシュ部
１３    シートカバー
１３ａ  座部
１４    フレーム体
２０    上部フレーム
３０、３０ａ、３０ｂ  下部フレーム
４０    背フレーム
４０ａ、４０ｂ  背フレーム下端部
４０ｃ，４０ｄ  長穴
４１ａ、４１ｂ  ワイヤー挿通口
４２ａ、４２ｂ  軸孔
５０、５０ａ  操作部
５１、５１ａ  操作レバー
５２    グリップカム
５３ａ、５３ｂ  ワイヤー
５４    ケース
５４ａ、５４ｂ  ガイド溝
５５ａ、５５ｂ  ワイヤー取付部
５５ｃ、５５ｄ  スライド端末
５６ａ，５６ｂ  コイルバネ
５７ａ、５７ｂ  ロック部材
５８ａ、５８ｂ  ロックピン
５９    直動カム部
５９ａ、５９ｂ  傾斜溝
６０    揺れフレーム
６０ａ、６０ｂ  ピン孔
６１ａ、６１ｂ    軸部
６２ａ、６２ｂ  曲げアール部
６３    取付腕部
６４    傾斜角度調整具
６４ａ  軸孔
６４ｂ、６４ｃ、６４ｄ、６４ｅ  係合凹部
６５    バー穴
６５ａ  折り畳み用凹部
６５ｂ  受け凹部
６６    切込部
６７    ネジ部材
７０ａ、７０ｂ  ジョイント部
７０ｃ、７０ｄ  ベース体
７１ａ、７１ｂ  ガイド凹部
７１ｃ、７１ｄ  受け凹部
７２ａ、７２ｂ  ロック溝
７３ａ、７３ｂ  ジョイント軸
７３ｃ、７３ｄ    軸孔
７４ａ、７４ｂ  取付孔
７４ｃ、７４ｄ  ピン孔
７４ｅ、７４ｆ  抜止ピン
８０    ベースフレーム
８１ａ、８１ｂ  ベースバー
８２ａ、８２ｂ  挿入杆部
８４ａ、８４ｂ、８４ｃ、８４ｄ    ピン孔
８５ａ、８５ｂ  軸受け凹部
８６    係止バー
８７    フレーム取付板
８７ａ  取付部材
８８ａ、８８ｂ、８８ｃ、８８ｄ    軸受け
９０    スライドフレーム
９１ａ、９１ｂ    スライド部材
９２ａ、９２ｂ    挿入孔
９３    後部固着バー
９４    ストッパー収納パイプ
９５ａ、９５ｂ    ストッパーピン
９５ｃ、９５ｄ    操作レバー
９６    コイルバネ
１００  ベースフレーム
１００ａ  ピン孔
１０１  アーム
１０２  バネピン
１１０  スライドフレーム
１１０ａ  ピン孔
【図１】
2007282927.tif 000003
【図２】
2007282927.tif 000004
【図３】
2007282927.tif 000005
【図４】
2007282927.tif 000006
【図５】
2007282927.tif 000007
【図６】
2007282927.tif 000008
【図７】
2007282927.tif 000009
【図８】
2007282927.tif 000010
【図９】
2007282927.tif 000011
【図１０】
2007282927.tif 000012
【図１１】
2007282927.tif 000013
【図１２】
2007282927.tif 000014
【図１３】
2007282927.tif 000015
【図１４】
2007282927.tif 000016
【図１５】
2007282927.tif 000017
【図１６】
2007282927.tif 000018
【図１７】
2007282927.tif 000019
【図１８】
2007282927.tif 000020
【図１９】
2007282927.tif 000021
【図２０】
2007282927.tif 000022
【図２１】
2007282927.tif 000023